【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
熱捕捉、貯蔵、および交換構造であって、
少なくとも１つの熱交換および貯蔵（ＴＸＥＳ）アレイを備え、前記少なくとも１つのＴＸＥＳアレイの各々は、
熱源流体および作動流体の各々の流体流を受け取るようにそれぞれ構成された１つまたは複数のＴＸＥＳ要素であって、前記１つまたは複数のＴＸＥＳ要素のそれぞれが、前記熱源流体と前記ＴＸＥＳ要素との間で熱エネルギーの伝達をもたらす、ＴＸＥＳ要素と、
前記作動流体を前記１つまたは複数のＴＸＥＳ要素の入力に供給し、前記作動流体を前記１つまたは複数のＴＸＥＳ要素の出力から受け取るように配管を介して前記１つまたは複数のＴＸＥＳ要素に接続されるマニホールドシステムと、を備え、
熱捕捉、貯蔵、および交換構造は、前記少なくとも１つのＴＸＥＳアレイから熱を抽出し、その熱を機械エネルギーに変換するよう前記少なくとも１つのＴＸＥＳアレイと共に動作可能な少なくとも１つの熱機関であって、前記少なくとも１つの熱機関の各々は、各ＴＸＥＳアレイの前記マニホールドシステムに選択的に接続されて、前記作動流体を前記各ＴＸＥＳアレイの前記１つまたは複数のＴＸＥＳ要素に通し、その結果、前記作動流体と前記１つまたは複数の各ＴＸＥＳ要素との間で熱エネルギーの伝達を生じさせる熱機関、をさらに備える、
熱捕捉、貯蔵、および交換構造。
【請求項２】
前記少なくとも１つのＴＸＥＳアレイの各々への、およびそれぞれのＴＸＥＳアレイの前記１つまたは複数のＴＸＥＳ要素への、前記熱源流体の流れを選択的に制御し、
前記少なくとも１つのＴＸＥＳアレイの各々への、およびそれぞれのＴＸＥＳアレイの前記１つまたは複数のＴＸＥＳ要素への、それぞれの熱機関の前記作動流体の流れを選択的に制御するよう構成されるプロセスコントローラをさらに備える、請求項１に記載の構造。
【請求項３】
前記少なくとも１つのＴＸＥＳ要素の各々は、前記マニホールドシステムおよび前記１つまたは複数のＴＸＥＳ要素を接続する前記配管に含まれ、前記ＴＸＥＳアレイの前記１つまたは複数のＴＸＥＳ要素を通る前記作動流体の質量流を制御する弁システムをさらに備え、前記プロセスコントローラは、前記ＴＸＥＳアレイの前記１つまたは複数のＴＸＥＳ要素を通る前記作動流体の前記質量流を選択的に制御するために、前記弁システムの動作を制御するよう構成される、請求項２に記載の構造。
【請求項４】
前記１つまたは複数のＴＸＥＳ要素の各々は、
マトリックス材料基材と、
前記マトリックス材料基材内に形成または配置され、内部に前記加熱源流体を受け取るよう構成される、１つまたは複数の煙管または通路と、
前記１つまたは複数の煙管または通路とは別に前記マトリックス材料基材内に配置され、内部に前記熱機関から前記作動流体を受け取るよう構成される、１つまたは複数の作動流体管とを備え、
前記マトリックス材料基材を介して、前記加熱源流体と前記作動流体との間の熱エネルギーの前記伝達が生じる、
請求項１に記載の構造。
【請求項５】
前記マトリックス材料基材は、セメントバインダと骨材との混合物、またはバインダと相変化材料の混合物のいずれかを含む、請求項４に記載の構造。
【請求項６】
前記作動流体管の１つまたは複数は、前記マトリックス材料内に設けられたらせん形状の管を備える、請求項５に記載の構造。
【請求項７】
前記１つまたは複数の作動流体管は、少なくとも第１のらせん形状作動流体管と第２のらせん形状作動流体管とを備え、前記第１のらせん形状作動流体管および前記第２のらせん形状作動流体管は、絡み合った配置、入れ子状配置、同一直線上で非同軸である配置、または同一直線上で重ならない配置の１つで配置される、請求項４に記載の構造。
【請求項８】
前記マトリックス材料基材は、それぞれの角にスカラップが形成されたブロック状要素に形成され、
各ＴＸＥＳアレイ内の複数の隣接する複数のＴＸＥＳ要素の前記ブロック状要素のスカラップは、内部に前記加熱源流体を受け取るための通路を集合的に形成する、
請求項４に記載の構造。
【請求項９】
前記少なくとも１つのＴＸＥＳアレイは、複数のＴＸＥＳアレイを備え、前記少なくとも１つの熱機関は、第１の熱機関および第２の熱機関を含む複数の熱機関を備える、請求項１に記載の構造。
【請求項１０】
前記第１の熱機関は、前記第２の熱機関とは異なる特性を有し、前記異なる特性は、機関プロセス、最大圧力動作限界、および利用可能な流量の少なくとも１つを備える、請求項９に記載の構造。
【請求項１１】
前記第１の熱機関の前記作動流体は、前記第２の熱機関の前記作動流体とは異なる、請求項９に記載の構造。
【請求項１２】
前記少なくとも１つの熱機関は、前記作動流体を介して前記少なくとも１つのＴＸＥＳアレイに熱エネルギーを供給するためのヒートポンプとしてさらに動作可能である、請求項１に記載の構造。
【請求項１３】
熱捕捉、貯蔵、および交換構造であって、
少なくとも１つのモジュール式熱交換および貯蔵（ＴＸＥＳ）アレイを備え、前記少なくとも１つのモジュール式ＴＸＥＳアレイの各々は、１つまたは複数のＴＸＥＳ要素を備え、各ＴＸＥＳ要素は、
マトリックス材料基材と、
熱源から供給され、前記ＴＸＥＳ要素を通る加熱源流体の流れを提供するために、前記マトリックス材料基材内に形成または配置された１つまたは複数の煙管または通路と、
前記ＴＸＥＳ要素を通る作動流体の流れを提供するために、前記１つまたは複数の煙管または通路とは別の前記マトリックス材料基板内に配置された１つまたは複数の作動流体管と、を備え、
熱捕捉、貯蔵、および交換構造は、
前記少なくとも１つのＴＸＥＳアレイからの熱を抽出してその熱を機械エネルギーに変換するために前記少なくとも１つのＴＸＥＳアレイと共に動作可能な１つまたは複数の熱機関であって、前記１つまたは複数の熱機関が、前記少なくとも１つのモジュール式ＴＸＥＳアレイに前記作動流体を提供する、１つまたは複数の熱機関と、
前記熱源を前記少なくとも１つのモジュール式ＴＸＥＳアレイに接続し、前記１つまたは複数の熱機関を前記少なくとも１つのモジュール式ＴＸＥＳアレイに接続する配管およびダクト内に配置された弁システムであって、前記弁システムは、前記少なくとも１つのモジュール式ＴＸＥＳアレイおよび前記少なくとも１つのモジュール式ＴＸＥＳアレイの前記１つまたは複数のＴＸＥＳ要素への前記加熱源流体の前記流れを選択的に制御し、前記少なくとも１つのモジュール式ＴＸＥＳアレイおよび前記少なくとも１つのモジュール式ＴＸＥＳアレイの前記１つまたは複数のＴＸＥＳ要素への前記作動流体の前記流れを選択的に制御する、弁システムと、をさらに備える、
熱捕捉、貯蔵、および交換構造。
【請求項１４】
前記加熱源流体の前記少なくとも１つのモジュール式ＴＸＥＳアレイへの前記流れを選択的に制御し、前記作動流体の、前記少なくとも１つのモジュール式ＴＸＥＳ要素アレイおよび前記少なくとも１つのモジュール式ＴＸＥＳ要素アレイの前記１つまたは複数のＴＸＥＳ要素への前記流れを選択的に制御するために、前記弁システムの動作を制御するよう構成される、プロセスコントローラをさらに備える、請求項１３に記載の構造。
【請求項１５】
前記少なくとも１つのモジュール式ＴＸＥＳアレイは、少なくとも第１のモジュール式ＴＸＥＳアレイと第２のモジュール式ＴＸＥＳアレイとを含む複数のモジュール式ＴＸＥＳアレイを備え、前記第１および第２のモジュール式ＴＸＥＳアレイは、前記第１のモジュール式ＴＸＥＳアレイが第１の温度で前記加熱源流体を受け取り、前記第２のモジュール式ＴＸＥＳアレイが第２の温度で前記加熱源流体を受け取るよう、直列に配置されている、請求項１３に記載の構造。
【請求項１６】
前記１つまたは複数の熱機関は、第１の熱機関および第２の熱機関を備え、前記第１および第２の熱機関は、異なる動作特性または異なる作動流体を有する、請求項１５に記載の構造。
【請求項１７】
前記第１の熱機関は、作動流体を供給するために前記第１のモジュール式ＴＸＥＳアレイに流体接続されており、前記第２の熱機関は、作動流体を供給するために前記第２のモジュール式ＴＸＥＳアレイに流体接続されており、前記第１の熱機関は、前記第１の温度で加熱源流体を受け取る前記第１のモジュール式ＴＸＥＳアレイと共に使用するのに適した動作特性または作動流体を有し、前記第２の熱機関は、前記第２の温度で加熱源流体を受け取る前記第２のモジュール式ＴＸＥＳアレイと共に使用するのに適した動作特性または作動流体を有する、請求項１６に記載の構造。
【請求項１８】
各ＴＸＥＳ要素内の前記１つまたは複数の煙管もしくは通路および前記１つまたは複数の作動流体管は、前記加熱源流体が前記ＴＸＥＳ要素を高温端から低温端に流れ、前記作動流体が、エンタルピーが前記作動流体に加えられた場合に前記低温端から前記高温端に、または前記作動流体がエンタルピーを放出した場合に前記高温端から前記低温端に、前記ＴＸＥＳ要素を流れるよう配置される、請求項１３に記載の構造。
【請求項１９】
各ＴＸＥＳ要素内の前記１つまたは複数の作動流体管の各々は、らせん状管を備える、請求項１３に記載の構造。
【手続補正２】
【補正対象書類名】明細書
【補正対象項目名】０１２８
【補正方法】変更
【補正の内容】
【０１２８】
本発明について、好適な実施形態の点から説明してきたが、それに限定されないことが、当業者によって認識されるであろう。上述した本発明のさまざまな特徴および態様は、個別にまたは共に使用することができる。さらに、本発明について、特定の環境での実施の状況で説明してきたが、特定の用途に対して、当業者は、その有用性が限定されず、本発明が任意の数の望ましい環境および実装態様で有益に使用され得ることを認識するであろう。したがって、特許請求の範囲は、本明細書に開示された本発明の完全な範囲および精神を考慮して解釈されるべきである。
（発明の開示）
（項目１）
熱捕捉、貯蔵、および交換構造であって、
少なくとも１つの熱交換および貯蔵（ＴＸＥＳ）アレイを備え、前記少なくとも１つのＴＸＥＳアレイの各々は、
熱源流体および作動流体の各々の流体流を受け取るようにそれぞれ構成された１つまたは複数のＴＸＥＳ要素であって、前記１つまたは複数のＴＸＥＳ要素のそれぞれが、前記熱源流体と前記ＴＸＥＳ要素との間で熱エネルギーの伝達をもたらす、ＴＸＥＳ要素と、
前記作動流体を前記１つまたは複数のＴＸＥＳ要素の入力に供給し、前記作動流体を前記１つまたは複数のＴＸＥＳ要素の出力から受け取るように配管を介して前記１つまたは複数のＴＸＥＳ要素に接続されるマニホールドシステムと、を備え、
熱捕捉、貯蔵、および交換構造は、前記少なくとも１つのＴＸＥＳアレイから熱を抽出し、その熱を機械エネルギーに変換するよう前記少なくとも１つのＴＸＥＳアレイと共に動作可能な少なくとも１つの熱機関であって、前記少なくとも１つの熱機関の各々は、各ＴＸＥＳアレイの前記マニホールドシステムに選択的に接続されて、前記作動流体を前記各ＴＸＥＳアレイの前記１つまたは複数のＴＸＥＳ要素に通し、その結果、前記作動流体と前記１つまたは複数の各ＴＸＥＳ要素との間で熱エネルギーの伝達を生じさせる熱機関、をさらに備える、
熱捕捉、貯蔵、および交換構造。
（項目２）
前記少なくとも１つのＴＸＥＳアレイの各々への、およびそれぞれのＴＸＥＳアレイの前記１つまたは複数のＴＸＥＳ要素への、前記熱源流体の流れを選択的に制御し、
前記少なくとも１つのＴＸＥＳアレイの各々への、およびそれぞれのＴＸＥＳアレイの前記１つまたは複数のＴＸＥＳ要素への、それぞれの熱機関の前記作動流体の流れを選択的に制御するよう構成されるプロセスコントローラをさらに備える、項目１に記載の構造。
（項目３）
前記少なくとも１つのＴＸＥＳ要素の各々は、前記マニホールドシステムおよび前記１つまたは複数のＴＸＥＳ要素を接続する前記配管に含まれ、前記ＴＸＥＳアレイの前記１つまたは複数のＴＸＥＳ要素を通る前記作動流体の質量流を制御する弁システムをさらに備え、前記プロセスコントローラは、前記ＴＸＥＳアレイの前記１つまたは複数のＴＸＥＳ要素を通る前記作動流体の前記質量流を選択的に制御するために、前記弁システムの動作を制御するよう構成される、項目２に記載の構造。
（項目４）
前記１つまたは複数のＴＸＥＳ要素の各々は、
マトリックス材料基材と、
前記マトリックス材料基材内に形成または配置され、内部に前記加熱源流体を受け取るよう構成される、１つまたは複数の煙管または通路と、
前記１つまたは複数の煙管または通路とは別に前記マトリックス材料基材内に配置され、内部に前記熱機関から前記作動流体を受け取るよう構成される、１つまたは複数の作動流体管とを備え、
前記マトリックス材料基材を介して、前記加熱源流体と前記作動流体との間の熱エネルギーの前記伝達が生じる、
項目１に記載の構造。
（項目５）
前記マトリックス材料基材は、セメントバインダと骨材との混合物、またはバインダと相変化材料の混合物のいずれかを含む、項目４に記載の構造。
（項目６）
前記作動流体管の１つまたは複数は、前記マトリックス材料内に設けられたらせん形状の管を備える、項目５に記載の構造。
（項目７）
前記１つまたは複数の作動流体管は、少なくとも第１のらせん形状作動流体管と第２のらせん形状作動流体管とを備え、前記第１のらせん形状作動流体管および前記第２のらせん形状作動流体管は、絡み合った配置、入れ子状配置、同一直線上で非同軸である配置、または同一直線上で重ならない配置の１つで配置される、項目４に記載の構造。
（項目８）
前記マトリックス材料基材は、それぞれの角にスカラップが形成されたブロック状要素に形成され、
各ＴＸＥＳアレイ内の複数の隣接する複数のＴＸＥＳ要素の前記ブロック状要素のスカラップは、内部に前記加熱源流体を受け取るための通路を集合的に形成する、
項目４に記載の構造。
（項目９）
前記少なくとも１つのＴＸＥＳアレイは、複数のＴＸＥＳアレイを備え、前記少なくとも１つの熱機関は、第１の熱機関および第２の熱機関を含む複数の熱機関を備える、項目１に記載の構造。
（項目１０）
前記第１の熱機関は、前記第２の熱機関とは異なる特性を有し、前記異なる特性は、機関プロセス、最大圧力動作限界、および利用可能な流量の少なくとも１つを備える、項目９に記載の構造。
（項目１１）
前記第１の熱機関の前記作動流体は、前記第２の熱機関の前記作動流体とは異なる、項目９に記載の構造。
（項目１２）
前記少なくとも１つの熱機関は、前記作動流体を介して前記少なくとも１つのＴＸＥＳアレイに熱エネルギーを供給するためのヒートポンプとしてさらに動作可能である、項目１に記載の構造。
（項目１３）
熱捕捉、貯蔵、および交換構造であって、
少なくとも１つのモジュール式熱交換および貯蔵（ＴＸＥＳ）アレイを備え、前記少なくとも１つのモジュール式ＴＸＥＳアレイの各々は、１つまたは複数のＴＸＥＳ要素を備え、各ＴＸＥＳ要素は、
マトリックス材料基材と、
熱源から供給され、前記ＴＸＥＳ要素を通る加熱源流体の流れを提供するために、前記マトリックス材料基材内に形成または配置された１つまたは複数の煙管または通路と、
前記ＴＸＥＳ要素を通る作動流体の流れを提供するために、前記１つまたは複数の煙管または通路とは別の前記マトリックス材料基板内に配置された１つまたは複数の作動流体管と、を備え、
熱捕捉、貯蔵、および交換構造は、
前記少なくとも１つのＴＸＥＳアレイからの熱を抽出してその熱を機械エネルギーに変換するために前記少なくとも１つのＴＸＥＳアレイと共に動作可能な１つまたは複数の熱機関であって、前記１つまたは複数の熱機関が、前記少なくとも１つのモジュール式ＴＸＥＳアレイに前記作動流体を提供する、１つまたは複数の熱機関と、
前記熱源を前記少なくとも１つのモジュール式ＴＸＥＳアレイに接続し、前記１つまたは複数の熱機関を前記少なくとも１つのモジュール式ＴＸＥＳアレイに接続する配管およびダクト内に配置された弁システムであって、前記弁システムは、前記少なくとも１つのモジュール式ＴＸＥＳアレイおよび前記少なくとも１つのモジュール式ＴＸＥＳアレイの前記１つまたは複数のＴＸＥＳ要素への前記加熱源流体の前記流れを選択的に制御し、前記少なくとも１つのモジュール式ＴＸＥＳアレイおよび前記少なくとも１つのモジュール式ＴＸＥＳアレイの前記１つまたは複数のＴＸＥＳ要素への前記作動流体の前記流れを選択的に制御する、弁システムと、をさらに備える、
熱捕捉、貯蔵、および交換構造。
（項目１４）
前記加熱源流体の前記少なくとも１つのモジュール式ＴＸＥＳアレイへの前記流れを選択的に制御し、前記作動流体の、前記少なくとも１つのモジュール式ＴＸＥＳ要素アレイおよび前記少なくとも１つのモジュール式ＴＸＥＳ要素アレイの前記１つまたは複数のＴＸＥＳ要素への前記流れを選択的に制御するために、前記弁システムの動作を制御するよう構成される、プロセスコントローラをさらに備える、項目１３に記載の構造。
（項目１５）
前記少なくとも１つのモジュール式ＴＸＥＳアレイは、少なくとも第１のモジュール式ＴＸＥＳアレイと第２のモジュール式ＴＸＥＳアレイとを含む複数のモジュール式ＴＸＥＳアレイを備え、前記第１および第２のモジュール式ＴＸＥＳアレイは、前記第１のモジュール式ＴＸＥＳアレイが第１の温度で前記加熱源流体を受け取り、前記第２のモジュール式ＴＸＥＳアレイが第２の温度で前記加熱源流体を受け取るよう、直列に配置されている、項目１３に記載の構造。
（項目１６）
前記１つまたは複数の熱機関は、第１の熱機関および第２の熱機関を備え、前記第１および第２の熱機関は、異なる動作特性または異なる作動流体を有する、項目１５に記載の構造。
（項目１７）
前記第１の熱機関は、作動流体を供給するために前記第１のモジュール式ＴＸＥＳアレイに流体接続されており、前記第２の熱機関は、作動流体を供給するために前記第２のモジュール式ＴＸＥＳアレイに流体接続されており、前記第１の熱機関は、前記第１の温度で加熱源流体を受け取る前記第１のモジュール式ＴＸＥＳアレイと共に使用するのに適した動作特性または作動流体を有し、前記第２の熱機関は、前記第２の温度で加熱源流体を受け取る前記第２のモジュール式ＴＸＥＳアレイと共に使用するのに適した動作特性または作動流体を有する、項目１６に記載の構造。
（項目１８）
各ＴＸＥＳ要素内の前記１つまたは複数の煙管もしくは通路および前記１つまたは複数の作動流体管は、前記加熱源流体が前記ＴＸＥＳ要素を高温端から低温端に流れ、前記作動流体が、エンタルピーが前記作動流体に加えられた場合に前記低温端から前記高温端に、または前記作動流体がエンタルピーを放出した場合に前記高温端から前記低温端に、前記ＴＸＥＳ要素を流れるよう配置される、項目１３に記載の構造。
（項目１９）
各ＴＸＥＳ要素内の前記１つまたは複数の作動流体管の各々は、らせん状管を備える、項目１３に記載の構造。
（項目２０）
熱捕捉、貯蔵、および交換構造を組み立てる方法であって、前記方法は、
熱貯蔵および熱交換能力を有する少なくとも１つのモジュール式熱交換および貯蔵（ＴＸＥＳ）アレイを準備するステップを含み、前記少なくとも１つのモジュール式ＴＸＥＳアレイの各々を準備するステップが、
所望の数のモジュール式ＴＸＥＳ要素を準備するステップと、
前記所望の数のモジュール式ＴＸＥＳ要素を配置して前記モジュール式ＴＸＥＳアレイを形成するステップと、
前記マニホールドシステムと前記モジュール式ＴＸＥＳ要素との間に作動流体を伝達するために、前記所望の数のモジュール式ＴＸＥＳ要素を配管を介してマニホールドシステムに連結するステップと、を含み、
前記方法は、
熱源に前記少なくとも１つのモジュール式ＴＸＥＳアレイを流体連結して、前記熱源から加熱源流体を受け取るステップであって、前記加熱源流体からの熱エネルギーが、前記少なくとも１つのモジュール式ＴＸＥＳアレイの前記モジュール式ＴＸＥＳ要素の１つまたは複数に蓄えられるステップと、
前記作動流体を介して前記少なくとも１つのＴＸＥＳアレイから熱を抽出し、その熱を機械エネルギーに変換するために、前記少なくとも１つのＴＸＥＳアレイと共に動作可能な少なくとも１つの熱機関を準備するステップと、
前記少なくとも１つの熱機関の各々を、各モジュール式ＴＸＥＳアレイの前記マニホールドシステムに流体接続して、前記作動流体を１つまたは複数のモジュール式ＴＸＥＳ要素に通し、その結果、前記作動流体と前記１つまたは複数の各ＴＸＥＳ要素との間で熱エネルギーの伝達が発生するステップと、をさらに含む、
熱捕捉、貯蔵、および交換構造を組み立てる方法。
（項目２１）
前記熱源を前記少なくとも１つのモジュール式ＴＸＥＳアレイに接続し、前記少なくとも１つのモジュール式ＴＸＥＳアレイに前記少なくとも１つの熱機関を接続する配管およびダクト内に弁システムを組み込むステップであって、前記弁システムが、前記加熱源流体の前記少なくとも１つのモジュール式ＴＸＥＳアレイおよび前記少なくとも１つのモジュール式ＴＸＥＳアレイの前記１つまたは複数のＴＸＥＳ要素への前記流れを選択的に制御し、前記作動流体の前記少なくとも１つのモジュール式ＴＸＥＳアレイおよび前記少なくとも１つのモジュール式ＴＸＥＳアレイの１つまたは複数のＴＸＥＳ要素への前記流れを選択的に制御するステップをさらに含む、項目２０に記載の方法。
（項目２２）
前記少なくとも１つの熱機関を前記少なくとも１つのモジュール式ＴＸＥＳアレイに接続する前記配管内の前記弁システムは、前記少なくとも１つのＴＸＥＳアレイの前記ＴＸＥＳ要素を向流方式で動作させるよう制御され、前記各ＴＸＥＳ要素を通る前記加熱源流体の流れは、前記各ＴＸＥＳ要素を通る前記作動流体の流れと略反対の方向である、項目２１に記載の方法。
（項目２３）
前記所望の数のモジュール式ＴＸＥＳ要素を前記マニホールドシステムに連結する前記配管に複数の弁を組み込むステップであって、前記複数の弁が、直列および並列流路における前記モジュール式ＴＸＥＳ要素の１つまたは複数を通る前記作動流体の前記流れを選択的に制御するステップをさらに含む、項目２１に記載の方法。
（項目２４）
前記所望の数のモジュール式ＴＸＥＳ要素の各々を準備するステップは、
セメントバインダと骨材との混合物およびバインダと相変化材料との混合物のいずれかを含むマトリックス材料から要素本体を形成すること、
前記要素本体内に１つまたは複数の煙管または通路を設けて、前記ＴＸＥＳ要素を通る前記加熱源流体の流れをもたらすこと、および、
前記要素本体内に前記１つまたは複数の煙管または通路とは別の１つまたは複数の作動流体管を設けて、前記ＴＸＥＳ要素を通る前記作動流体の流れをもたらすこと、
によって前記ＴＸＥＳ要素を構築するステップをさらに含む、項目２１に記載の方法。